(57)【要約】【課題】確率変動中や時短中に、いわゆるリーチアクションをしないリーチ状態が発生することによる遊技者の不満を緩和する遊技機を提供する。【解決手段】リーチの変動パターンを行うことが一旦決定すると、本図に示すデータテーブルを用いて、リーチ態様決定乱数メモリに記憶された乱数値より変動パターンを選択する。変動パターンは６種類有り、その内の変動パターン６は、リーチを経ない変動パターンとなっている。このようなデータテーブルによれば、外れリーチ判定の場合であっても、リーチにならない場合がある。これによりリーチの発生頻度が抑えられるので、リーチアクションが行なわれないリーチが減少するので、遊技者に違和感を与える機会が減少する。【選択図】  図１９
2004236979.tif 000002
【特許請求の範囲】
【請求項１】
遊技領域が形成された遊技盤と、
前記遊技盤に設けられ、複数種類の図柄情報を変動表示可能であって該図柄情報を同時に複数表示可能な可変表示手段と、
前記遊技盤に設けられた特定入賞口に遊技球が入賞すると前記可変表示装置に同時に表示させた複数の図柄情報を変動表示させ、該変動表示を順次停止させる図柄変動制御手段と、
前記可変表示手段に表示される図柄情報が予め定められた特定の図柄の配列となったとき、遊技者にとって有利な状態に変化可能な可変入賞装置と、
前記図柄情報が予め定められた特別な図柄の配列となったとき、前記可変表示手段に前記特定の図柄の配列が表示される確率を変動させる確率変動手段と、
前記可変表示手段に、前記特定の図柄の配列から、前記図柄変動制御手段によって最後に停止される図柄情報である最終図柄のみが異なるリーチ配列を表示させるか否かを決定するリーチ判定手段と、
該リーチ判定手段でリーチ配列を表示すると決定した場合に、該リーチ配列に係る複数の変動パターンが格納された変動パターンデータテーブルに基づき、変動パターンを決定する第１変動パターン決定手段と、
を備えた遊技機において、
前記第１変動パターン決定手段は、前記確率変動手段によって図柄情報が特定の図柄となる確率が上昇された状態においては、前記リーチ配列とならない変動パターンをも格納された前記変動パターンデータテーブルに基づき、変動パターンを決定するものであることを特徴とする遊技機。
【請求項２】
遊技領域が形成された遊技盤と、
前記遊技盤に設けられ、複数種類の図柄情報を変動表示可能であって該図柄情報を同時に複数表示可能な可変表示手段と、
前記遊技盤に設けられた特定入賞口に遊技球が入賞すると前記可変表示装置に同時に表示させた複数の図柄情報を変動表示させ、該変動表示を順次停止させる図柄変動制御手段と、
前記可変表示手段に表示される図柄情報が予め定められた特定の図柄の配列となったとき、遊技者にとって有利な状態に変化可能な可変入賞装置と、
前記図柄情報が予め定められた特別な図柄の配列となったとき、前記変動表示の時間を短縮する時間短縮手段と、
前記可変表示手段に、前記特定の図柄の配列から、前記図柄変動制御手段によって最後に停止される図柄情報である最終図柄のみが異なるリーチ配列を表示させるか否かを決定するリーチ判定手段と、
該リーチ判定手段でリーチ配列を表示すると決定した場合に、該リーチ配列に係る複数の変動パターンが格納された変動パターンデータテーブルに基づき、変動パターンを決定する第２変動パターン決定手段と、
を備えた遊技機において、
前記第２変動パターン決定手段は、前記時間短縮手段によって変動時間が短縮上昇された状態においては、前記リーチ配列とならない変動パターンをも格納された前記変動パターンデータテーブルに基づき、変動パターンを決定するものであることを特徴とする遊技機。
【請求項３】
少なくとも前記図柄変動制御手段により特別図柄が変動表示されている場合に発生した前記特定入賞口への遊技球の入賞を、予め定められた回数（無限を含む）まで記憶し、変動表示制御手段において特別図柄が変動表示される都度、該記憶された回数を１減少させる特定入賞回数記憶手段
を備え、
前記特定入賞回数記憶手段に記憶された前記特定入賞口への遊技球の入賞回数が所定回数以上である場合に、前記リーチ配列とならない変動パターンをも格納された前記変動パターンデータテーブルに基づき、変動パターンを決定することを特徴とする請求項１又は２に記載の遊技機。
【請求項４】
前記リーチ配列とならない変動パターンをも格納された前記変動パターンデータテーブルを用いて変動パターンを決定するリーチ削減モードにするか否かを設定するためのモード切替手段
を備え、
前記リーチ削減モードにされている場合に、前記リーチ配列とならない変動パターンをも格納された前記変動パターンデータテーブルに基づき、変動パターンを決定することを特徴とする請求項１ないし３のいずれかに記載の遊技機。
【発明の詳細な説明】
【０００１】
【発明の属する技術分野】
本発明は遊技機に関し、特にいわゆるセブン機、羽根物、権利物又はアレンジボールなどの遊技機に関する。
【０００２】
【従来の技術】
従来、弾球遊技機には、いわゆるフィーバー機、権利物、あるいはアレンジ等と呼ばれる種々のゲーム内容のものが普及している。このうち、フィーバー機は、所定領域（例えば始動入賞口や特定ゲート）に遊技球が入賞または通過すると、可変表示装置に図柄（特別図柄）を変動表示させる。その可変表示装置の表示状態が特定のものとなった場合、例えば、大当り時には、まずリーチ表示を行い、そして３つの表示部に表示される図柄の組合わせが「７，７，７」等の特定のゾロ目の組合わせになった場合に、特定入賞口の大入賞口が開放されるように構成されている。大入賞口は、所定個数の遊技球が入賞するか所定時間が経過することにより一旦閉鎖されるが、上記開放中において大入賞口内に形成された特定領域を遊技球が通過していれば再び開放し、この開放及び閉鎖の動作を最大１６回繰り返す（いわゆる特別遊技）ように構成されている。
【０００３】
また、こうした遊技機では、可変表示装置に表示される図柄が変動中である間に始動入賞口などに入賞した遊技球があった場合は、所定記憶個数（通常４個）を上限にその入賞などした遊技球の数を記憶するよう構成されている。そして、可変表示装置における図柄の変動が停止し、表示された図柄が当り図柄でなければ、記憶している入賞球があれば記憶数が１減らされ、図柄が再び変動表示される。しかしながら、可変表示装置における図柄の変動中に、所定記憶個数を超える数の遊技球が始動入賞口などに連続して入賞した場合、その超過した入賞は無効になってしまう。そのため、所定記憶数（例えば、３個を超えた場合）に基づいて可変表示装置における図柄の変動時間を単純に短くすることにより、無効になる入賞の数を減らすことが行われてきた。
【０００４】
このように、所定のゾロ目条件が成立して特定入賞口が遊技客に有利な状態になると、フィーバー機等では、遊技者は特定入賞口（この場合アタッカー）内の特定領域に遊技球を通過（入賞）させて、大当り状態である特定入賞口内の特定領域に所定時間内に遊技球を通過させて大当り状態を発生させ、又は大当り状態を継続させて、大量の賞球の獲得をしようとするのである。
【０００５】
大当り時の図柄（当り図柄）に応じて、特別遊技終了後の遊技に大当りとなる確率が高くなる（いわゆる確率変動状態）高確率遊技状態が付与される機種がある。例えば、当り図柄が「７，７，７」、「３，３，３」であるときに高確率遊技状態が付与されるように構成されている。こうした機種においては、通常、大当たりが終了した後、図柄変動の時間が短縮される状態（時短と呼ばれる）が発生する。時短においては、始動入賞口の両脇に設けられている翼片（これが開くと始動入賞口へ容易に遊技球が入賞する）が開放される時間が伸び、且つこの翼片を開放させるか否かを抽選するための普通図柄の変動時間も短縮される。時短は通常、高確率遊技状態が付与された際には、次回の大当たりまで続くようにされている。また、高確率遊技状態が付与されない図柄で大当たりになった場合は、図柄変動を所定回数（例えば１００回）行うまで時短が付与される機種や、その大当たりの直前まで高確率遊技状態であった場合に限り、図柄変動を所定回数（例えば１００回）行うまで時短となる機種がある。
【０００６】
また、高確率遊技状態が発生しない機種においても、大当たり後、所定の条件（特定の図柄で大当たりになる、無条件など）で時短が付与されるものがある。そして高確率遊技状態が発生する・しないに関わらず、この種の遊技機においては、前述のリーチ状態からゾロ目あるいはゾロ目以外（つまり外れ）に至るまでの過程では様々な演出（いわゆるリーチアクション）が行われ、遊技者の関心を引き、遊技意欲を高める工夫が為されている。
【０００７】
しかしながら時短状態においては、こうしたリーチアクションはトータルの変動時間の延長を招いてしまう。そこで、特許文献１ではリーチの発生確率を低下させることにより、時短の効果が削がれないようにしている。ただしこのようにしても、リーチアクションが実行されると、その分、変動時間は長くなる。そこで、リーチはするが、リーチアクションを省略することによりトータルの変動時間を減らすことも広く行われている。
【０００８】
【特許文献１】
特開２００１−２１２３１６号公報
【０００９】
【発明が解決しようとする課題】
ところが、リーチアクションを省略すると、リーチ状態は発生するが、リーチアクションをしない、という事態が起こることになり、遊技者から見ると非常に違和感がある。また、遊技機に対する不信感を持たれかねない。
【００１０】
本発明は、このような課題を解決するためになされたものであり、その目的とするところは、確率変動中に、いわゆるリーチアクションをしないリーチ状態が発生することによる遊技者の不満を緩和する遊技機を提供することにある。
本発明の他の目的は、時短中に、いわゆるリーチアクションをしないリーチ状態が発生することによる遊技者の不満を緩和する遊技機を提供することにある。
【００１１】
本発明の他の目的は、当たり／外れの抽選判定を行う当否判定処理や遊技球の入賞検知処理等を司る主制御基板が同一であって、演出や図柄などの表示制御、音ランプ制御などを司る副制御基板を複数種類設定して遊技の外観を変化させた、いわゆるシリーズ機の設計を容易にすることにある。
【００１２】
本発明の他の目的は、遊技者がリーチアクションを見たくなった場合にも対応可能にすることにある。
本発明の他の目的は、リーチアクションを削減するか否かを自由に選択可能にすることにある。
【００１３】
【課題を解決するための手段および発明の効果】
係る課題を解決するためになされた請求項１に記載の本発明は、遊技領域が形成された遊技盤と、前記遊技盤に設けられ、複数種類の図柄情報を変動表示可能であって該図柄情報を同時に複数表示可能な可変表示手段と、前記遊技盤に設けられた特定入賞口に遊技球が入賞すると前記可変表示装置に同時に表示させた複数の図柄情報を変動表示させ、該変動表示を順次停止させる図柄変動制御手段と、前記可変表示手段に表示される図柄情報が予め定められた特定の図柄の配列となったとき、遊技者にとって有利な状態に変化可能な可変入賞装置と、前記図柄情報が予め定められた特別な図柄の配列となったとき、前記可変表示手段に特定の図柄が表示される確率を変動させる確率変動手段と、前記可変表示手段に、前記特定の図柄の配列から、前記図柄変動制御手段によって最後に停止される図柄情報である最終図柄のみが異なるリーチ配列を表示させるか否かを決定するリーチ判定手段と、該リーチ判定手段でリーチ配列を表示すると決定した場合に、該リーチ配列に係る複数の変動パターンが格納された変動パターンデータテーブルに基づき、変動パターンを決定する第１変動パターン決定手段とを備えた遊技機において、
前記第１変動パターン決定手段は、前記確率変動手段によって図柄情報が特定の図柄となる確率が上昇された状態においては、前記リーチ配列とならない変動パターンをも格納された前記変動パターンデータテーブルに基づき、変動パターンを決定するものであることを特徴とする。
【００１４】
このように構成された遊技機によれば、特定の図柄の配列が可変表示手段に表示される確率が高くなっている状態（確率変動）においては、外れのリーチ配列（単にリーチともいう）が表示される頻度が低下する。従って、確率変動中に、リーチアクションをしないリーチ状態が発生することによる遊技者の不満を緩和することができる。しかも、リーチ配列の発生頻度が減少する理由が、変動パターンデータテーブルにリーチとならない変動パターンが含まれていることであるため、変動パターンデータテーブルを変更することによりシリーズ機を作製することができ、シリーズ機の設計が容易となる。
【００１５】
請求項２に記載の本発明は、遊技領域が形成された遊技盤と、前記遊技盤に設けられ、複数種類の図柄情報を変動表示可能であって該図柄情報を同時に複数表示可能な可変表示手段と、前記遊技盤に設けられた特定入賞口に遊技球が入賞すると前記可変表示装置に同時に表示させた複数の図柄情報を変動表示させ、該変動表示を順次停止させる図柄変動制御手段と、前記可変表示手段に表示される図柄情報が予め定められた特定の図柄の配列となったとき、遊技者にとって有利な状態に変化可能な可変入賞装置と、前記図柄情報が予め定められた特別な図柄の配列となったとき、前記変動表示の時間を短縮する時間短縮手段と、前記可変表示手段に、前記特定の図柄の配列から、前記図柄変動制御手段によって最後に停止される図柄情報である最終図柄のみが異なるリーチ配列を表示させるか否かを決定するリーチ判定手段と、該リーチ判定手段でリーチ配列を表示すると決定した場合に、該リーチ配列に係る複数の変動パターンが格納された変動パターンデータテーブルに基づき、変動パターンを決定する第２変動パターン決定手段とを備えた遊技機において、
前記第２変動パターン決定手段は、前記時間短縮手段によって変動時間が短縮上昇された状態においては、前記リーチ配列とならない変動パターンをも格納された前記変動パターンデータテーブルに基づき、変動パターンを決定するものであることを特徴とする。
【００１６】
このように構成された遊技機によれば、変動表示時間が短くされている状態（時短）においては、外れのリーチ配列（単にリーチともいう）が表示される頻度が低下する。従って、時短中に、リーチアクションをしないリーチ状態が発生することによる遊技者の不満を緩和することができる。しかも、リーチ配列の発生頻度が減少する理由が、変動パターンデータテーブルにリーチとならない変動パターンが含まれていることであるため、変動パターンデータテーブルを変更することによりシリーズ機を作製することができ、シリーズ機の設計が容易となる。
【００１７】
なお、確率が変動され、且つ時短も発生する遊技機に対しては、請求項１に係る発明と請求項２に係る発明とを同時に適用しても構わない。
請求項３に記載の本発明は、請求項１又は２に記載の遊技機において、少なくとも前記図柄変動制御手段により特別図柄が変動表示されている場合に発生した前記特定入賞口への遊技球の入賞を、予め定められた回数（無限を含む）まで記憶し、変動表示制御手段において特別図柄が変動表示される都度、該記憶された回数を１減少させる特定入賞回数記憶手段を備え、前記特定入賞回数記憶手段に記憶された前記特定入賞口への遊技球の入賞回数が所定回数以上である場合に、前記リーチ配列とならない変動パターンをも格納された前記変動パターンデータテーブルに基づき、変動パターンを決定することを特徴とする。
【００１８】
このように構成された遊技機によれば、特定入賞回数記憶手段に記憶された前記特定入賞口への遊技球の入賞回数（いわゆる保留数）が所定回数以上であって、確率変動している場合（請求項１に適用した場合）または時短している場合（請求項２に適用した場合）において、外れのリーチ配列が表示される頻度が低下する。従って、保留数が所定数以上の場合に効果的な変動表示時間の短縮時に遊技者の不満を緩和することができる。また、遊技者が確率変動中（請求項１に適用した場合）や時短中（請求項２に適用した場合）にリーチを見たくなった場合には、遊技球の打ち出しを停止して、保留数が前記所定数未満になるようにすればよい。またリーチをカットしたい場合には、保留数が前記所定数以上になるように遊技球を打ち出せばよい。
【００１９】
請求項４に記載の本発明は、請求項１ないし３のいずれかに記載の遊技機において、前記リーチ配列とならない変動パターンをも格納された前記変動パターンデータテーブルを用いて変動パターンを決定するリーチ削減モードにするか否かを設定するためのモード切替手段を備え、前記リーチ削減モードにされている場合に、前記リーチ配列とならない変動パターンをも格納された前記変動パターンデータテーブルに基づき、変動パターンを決定することを特徴とする。
【００２０】
このように構成された遊技機によれば、モード切替手段を操作することにより、外れのリーチ配列が表示される頻度を低下させるか否かを選択することができる。モード切替手段を、遊技者が操作可能に構成しておけば、請求項３のように保留数を加減することなく、リーチの削減の可否を遊技者が制御することができる。モード切替手段を、パチンコホール側が操作可能に構成しておけば、稼働率を調整することができる。すなわち、稼働率を上げたい場合には、リーチ削減モードにして、短時間で確率変動（請求項１に適用した場合）や時短（請求項２に適用した場合）に要する時間を削減すればよい。
【００２１】
なお、「リーチ削減モードにされている場合」とは、モード切替手段によりリーチ削減モードが選択された場合を含むのは当然ながら、その他の場合（例えば、遊技機に電源を投入すると自動的にリーチ削減モードになるように構成された遊技機の、電源を投入した場合）によりリーチ削減モードになった場合も含む。
【００２２】
【発明の実施の形態】
以下、本発明の実施の形態を示す実施例について図面に基づいて説明する。
《実施例１》
ここでは遊技機として、いわゆるセブン機と呼ばれるタイプの第一種パチンコ機（弾球遊技機）を例に取り、その構造について図１〜図４を参照して説明する。
【００２３】
パチンコ機１の前面部は、図１及び図２に示すように、主として外枠（本体枠）２と、中枠３と、前面枠４と、上皿部５と、下皿部６と、施錠装置７とから構成されている。
外枠２は、木製の板状体を略長方形の額縁状に組立て固着したものである。中枠３は、全体がプラスチック製で、枠体部（図２参照）３ａと下板部とを有し、外枠２に対して開閉可能に軸支されている。中枠３の右端中央には施錠装置７が設けられ、施錠装置７は、正面視すると鍵穴を備えた略長方形状を呈し、前面枠４を閉鎖した場合に施錠するためのものである。
【００２４】
ここで枠体部３ａは、上端から下方へ中枠３全体の略２／３程度に略長方形の額縁状に形成され、上端部には、前面枠４の略三角形状の枠飾りＬＥＤ用レンズ４ｃ，４ｅに対応して、左側に賞球表示ＬＥＤ（図示を省略）及び賞球表示ＬＥＤ基板４ｄ（図５照）が、右側にストップ表示ＬＥＤ（図２では図示略）及びストップ表示ＬＥＤ基板４ｆ（図５参照）が配設されている。
【００２５】
また、下板部は、下端から上方へ中枠３全体の略１／３程度を占め、左端には、上皿部５に形成されたスピーカー面５ａに対応すべく、遊技状態に応じた効果音その他の音（音声）を発生させるスピーカー４００ａ（図５参照）が配設され、略中央には、遊技球を発射する発射装置ユニット（図示略）に対し、上皿部５に貯留された遊技球を供給する供給装置等（図示略）が設けられている。
【００２６】
さらに、下板部の下方には、灰皿や玉抜きレバー等を備えた下皿部６が設けられ、下皿部６の略中央には、パチンコ機１の内部から遊技球を排出するための排出口６ａが開設され、右端に発射装置ユニット（図示略）を操作する発射ハンドル９が設けられている。また、この発射ハンドル９には、遊技者がタッチしていることを検出するタッチスイッチ９ａが装着され、その近傍には、発射停止を一時的に指令する発射停止スイッチ９ｂが配置されている。
【００２７】
前面枠４は、図１及び図２に示すように、全体がプラスチック製であり、遊技盤１０（図３参照）を前方から視認するべく、遊技盤１０に形成された遊技領域１１（図３参照）の形状に対応して略円周状に開設された開口部４ａを有している。そして、その裏面には、開口部４ａに応じてガラス板４ｒが嵌められた略長方形状のガラス枠４ｓ（図２参照）が装着されている。尚、本実施例では、ガラス枠４ｓが、前面枠４に裏面に装着され、このガラス枠４ｆによって、ガラス板４ｒの周縁部が保持されている。そして、遊技者を基準とすれば、遊技盤１０に形成された遊技領域１１は、ガラス板４ｅの後方に形成されている。尚、前面枠４の前面側にガラス枠４ｓを装着し、前面枠４の前面側で、ガラス板４ｒを保持してもよい。また、ガラス板４ｒ以外の透明板（例えば、透明な樹脂板）を、前面枠４に装着された透明板枠で保持することもできる。
【００２８】
また、この前面枠４は、パチンコ機１の前面全体の約２／３のサイズを占め、中枠３の左端に軸着され開閉可能に形成されている。さらに、上端部には、枠飾りランプ用レンズ４ｂも設けられ、このレンズ４ｂ内部には、開口部４ａ上端の円弧部分に沿って、枠飾りランプ基板４ｇ（図５参照）及び複数個の遊技効果ランプ（図示略）が配設されている。
【００２９】
上皿部５は、前面枠４の下側で、中枠３の左端に軸着され開閉可能に形成されている。皿外縁部５ｂには、玉抜きボタンや遊技球の貸出・返却ボタン等が配設されている。また、上皿部５には、パチンコ機１の内部から遊技球を排出するための排出口５ｃが開設されている。左端には、複数の長孔を有するスピーカー面５ａが形成され、その裏面には、音量スイッチ基板１２（図５参照）が設けられている。パチンコ機１の左端側には、プリペイドカードユニット１３が装着されている。
【００３０】
次に、本実施例の遊技盤１０の表面構造について図３を参照して説明する。遊技盤１０は、略長方形の木製の板状体であって中枠３（図１及び図２参照）に保持されるとともに、後述する裏機構盤１０２（図４参照）によりその背面側が覆われている。遊技盤１０には、遊技盤１０の表面に設けられた外レール１４と内レール１５とにより略円形状の遊技領域１１が形成され、遊技領域１１内には、中央装置１６と、第一種始動口（普通電動役物）１７と、変動入賞装置１８と、左入賞口１９、右入賞口２０、左下入賞口２１、右下入賞口２２と、多数の釘２３等が配設されている。なお、本図では図を簡素にするため、釘２３の一部、ランプ風車などを省略している。
【００３１】
中央装置１６は、遊技領域１１の略中央部に配置され、普通図柄表示装置３２と、ＬＥＤ表示装置２００と、第２表示部２７と、入球口２７２、２７３とを備えている。
ＬＥＤ表示装置２００は、３桁の７セグメント表示装置２４とを主要部として構成されており、遊技球が第一種始動口（普通電動役物）１７に入球することにより、各桁７個のセグメント体を適宜点灯・消灯させることにより各特別図柄をそれぞれ変動させて停止表示させるものである。そして、例えば、図柄が「７、７、７」の３桁同一図柄で揃って停止表示（確定表示）すると、変動入賞装置１８に配設された後述する大入賞装置３１の大入賞口３１１が開放される。即ち、パチンコ機１では、「複数の識別情報」を表示する領域として、左特別図柄表示領域と、中特別図柄表示領域と、右特別図柄表示領域とを備えている。また、「遊技球が第一種始動口（普通電動役物）１７に入球する。」という「所定条件の成立」によって、各特別図柄がそれぞれ変動され（即ち、複数の識別情報を可変表示され）、「図柄が３桁同一図柄で揃う。」という、特定条件の停止態様が達成されると、「大当たり」という、「特定の価値」を付与するパチンコ機１である。
【００３２】
普通図柄表示装置３２は、「表示装置」の一具体例を示しており、中央装置１６の上部中央に配置されている。普通図柄表示装置３２は、１〜９の奇数数字を変動表示させるもので、普通図柄作動ゲート３６、３７のいずれかを遊技球が通過することにより変動して、所定時間経過後に１種類の奇数数字が停止表示される。そして、例えば「７」で停止表示すると、第一種始動口（普通電動役物）１７が所定時間（例えば、０．５秒）開放される。
【００３３】
普通図柄作動ゲート３６、３７は中央装置１６の左右斜め下方に、それぞれ設けられ、この左右の普通図柄作動ゲート３６、３７内に左、右普通図柄作動ゲート検知スイッチ３６ｓ、３７ｓ（図５参照）が配設されている。そして、遊技球の普通図柄作動ゲート通過検知スイッチ３６ｓ、３７ｓのいずれかの通過により、普通図柄表示装置３２が変動表示する。
【００３４】
なお、中央装置１６には、左右の普通図柄作動ゲート３６、３７を通過した遊技球の数を４個まで保留するＬＥＤや、第一種始動口（普通電動役物）１７への入賞の数を４個まで保留するＬＥＤも設けられているが本図では省略した。
第一種始動口（普通電動役物）１７は、中央装置１６の中央位置の下方に離れて配設されている。第一種始動口（普通電動役物）１７は、いわゆるチューリップ式で左右に一対の翼片部が開閉するべく形成され、その前面に飾りを備えて後述する基板３４に取り付けられている。内部には、遊技球の通過を検知する第一種始動口（普通電動役物）入賞検知スイッチ１７ｓ（図５参照）と、翼片部を作動させるための第一種始動口（普通電動役物）ソレノイド１７ｃ（図５参照）とが備えられている。この一対の翼片部が左右に開くと、遊技球の入球可能性が大きくなる開放状態となり、一対の翼片部が立設され、遊技球の入球可能性が小さくなる通常状態となる。
【００３５】
変動入賞装置１８は、上記第一種始動口（普通電動役物）１７の下方に配設されており、前面側が略逆台形状に形成された基板３４に、大入賞装置３１と、左下入賞口２１と右下入賞口２２とを備えている。ここで、大入賞装置３１は、略中央に形成され、帯状に開口された大入賞口３１１と、この大入賞口３１１を開放・閉鎖する開閉板３１２と、この開閉板３１２を開閉するための大入賞口ソレノイド３１３（図５参照）と、大入賞口３１１に入賞した後に遊技球が通過する特定領域（Ｖ入賞口及び一般入賞口／図示略）と、連動杆（図示略）と、入賞球を検知する入賞球検知スイッチ３１８（図５参照）と、裏箱（図示略）と、大入賞口中継基板（図示略）とから主に構成されている。
【００３６】
また、左下入賞口２１は、第一種始動口（普通電動役物）１７の略真横の左側に配設されて、内部に左下入賞口通過検知スイッチ２１ｓ（図５参照）が設けられている。そして、この左下入賞口２１の下方には複数個の左下入賞口ＬＥＤ２２３〜２２５が左下入賞口ＬＥＤ基板２１ｆ（図５参照）に取り付けられ、飾りレンズによって被覆されている。さらに、右下入賞口２２は、第一種始動口（普通電動役物）１７の略真横の右側に配設されて、内部に右下入賞口通過検知スイッチ２２ｓ（図５参照）が設けられている。
【００３７】
変動入賞装置１８の左右斜め上方には、左入賞口１９及び右入賞口２０がそれぞれ配設されている。そして、その内部にはそれぞれ、左入賞口通過検知スイッチ１９ｓ（図５参照）、右入賞口通過検知スイッチ２０ｓ（図５参照）が設けられている。さらに、遊技領域１１の左右両端部には、一対のサイドランプ３８、３９がそれぞれ縦円弧状で相対称状に配設されている。なお、多数の釘２３は、以上説明した各遊技装置との位置バランスを考慮して、遊技領域１１にパチンコ遊技に適するべく、配設されている。
【００３８】
次に、遊技盤１０の下方にはアウト口４８が設けられ、そのアウト口４８の下部にはバック球防止部材５８が設けられており、遊技領域１１に到達せず戻ってきた遊技球が再び発射位置に戻ることを防止している。一方、ファール球防止部材５９は、内レール１５の先端部に取り付けられ、返しゴム６０は、ファール球防止部材５９の位置とは略正反対側の、遊技盤１０の右半分側の位置であって、外レール１４に沿って嵌合状に取り付けられている。
【００３９】
次に、本実施例のパチンコ機１の裏面構造について図４を参照して説明する。前面枠４（図１及び図２参照）は中枠３にあって、前面枠４の上下端の位置に設けられた一対のヒンジ１０１により、開閉可能に支持されている。裏機構盤１０２は中枠３にあって裏機構盤１０２の上下端の位置に設けられた一対のヒンジ１０３により、開閉可能に支持されている。遊技盤１０（図３参照）は中枠３の表面側に着脱可能に取り付けられている。上端側にあるヒンジ１０１の配設位置からみて左側には、タンク球切れ検知スイッチ１０４をタンク底部に備えた賞球タンク１０５と、この賞球タンク１０５に接続されるタンクレール１０６とが取り付けられている。また、タンクレール１０６の右側には、球抜きレバー１０７が設けられ、その下流側には、補給球切れ検知スイッチ（図示を省略）が、さらに、その下流側には、裏側遊技装置としての賞球払出装置１０９が配設されている。
【００４０】
続いて、遊技球の振り分け部（図示略）が賞球払出装置１０９の下流側に設けられている。タンクレール１０６の下側には、ＬＥＤ表示装置２００（図３参照）を格納した蓋付きの裏ケース１１１が設けられ、この裏ケース１１１の下側には、後述する主制御部１４０（図５参照）として、裏側遊技装置としての遊技制御基板５４｛図６（ａ）参照｝を格納した格納容器としての収納ボックス５５が配設されている。収納ボックス５５の背面下側には、発射制御部１９３（図５参照）として発射装置制御基板を格納した発射装置制御基板ケース１１３、及び発射制御集合中継基板（図示略）が設けられている。裏機構盤１０２の左下方部には、上述した発射装置ユニット（図示略）が、同じく右下方部には、払出制御部１５０（図５参照）として、払出制御基板３５０｛図６（ｂ）参照｝を格納した格納容器としての払出制御基板ケース１１８が設けられている。収納ボックス５５の右側上方に裏側遊技装置としての中継基板１９０が装着されている。
【００４１】
中継基板１９０は、図５にも示すように、入賞球検知スイッチ３１８，１９ｓ〜２２ｓ等と主制御部１４０とを中継するための基板とされている。本実施例においては、収納ボックス５５、中継基板１９０及び払出制御基板ケース１１８は、金属板（図示を省略）に着脱自在に装着され、この金属板は裏機構盤１０２に対して回動自在に懸架されている。
【００４２】
一方、裏機構盤１０２の右上端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた端子基板１２２が設けられている。また、外部からの電力の供給を受けるための電源ケーブル１２３も端子基板１２２の上側に配設されている。払出制御基板３５０｛図６（ｂ）参照｝を格納した払出制御基板ケース１１８からは接続ケーブル１２４が上方へ延出し、電源ケーブル１２５を備えたプリペイドカードユニット１３に接続されている。また、裏機構盤１０２の略中央下端部には、下皿部用球通路部材１２６が設けられている。なお、電源ターミナル基板１２１には、「ＲＡＭクリア信号」を発生させるための図示しないＲＡＭクリアスイッチが接続されている。
（２）パチンコ機１の電子制御装置１３０
次に、本実施例のパチンコ機１の電子制御装置１３０について、図５〜図７を参照して説明する。まず、電子制御装置１３０は、主制御部１４０と、信号伝送経路５００ａにより、その主制御部１４０に接続された払出制御部（主として賞球の払出制御を行う賞球払出制御部）１５０、特別図柄制御部１６０、及び音声ランプ制御部１７０を含んで構成されている。主制御部１４０は、遊技制御基板５４を備え、主制御部１４０以外の上記３つの制御部１５０、１６０、１７０はそれぞれ、払出制御基板３５０、特別図柄制御基板３６０、音声ランプ制御基板を備えている。
【００４３】
遊技制御基板５４は、図６（ａ）に示すように、ＣＰＵ４０１を含む主回路部４００と、入出力回路部５００とを備えている（図１５参照）。そして、この遊技制御基板５４は、通常、開閉困難なケース（後述する収納ボックス５５）に収納されている。
【００４４】
また、入出力回路部５００には、外部端子部１４５が接続され、この外部端子部１４５には、パチンコホールの「ホールコンピューター」が接続される。そして、遊技制御基板５４は、ＲＡＭクリア処理の実行後に、ＲＡＭクリア信号をＯＮし、一定時間経過後にＯＦＦするが、このＲＡＭクリア信号をパチンコ機１の外部に出力し、パチンコホールのシステム等に報知できる。このため、不正行為者が判らない間に、パチンコホールの管理者側が不正行為を知ることができる。
【００４５】
図１６に示すように、ＣＰＵ４０１はＣＰＵコア４８０を備え、ＲＯＭ４８２に格納された制御プログラムにより、ＲＡＭ４８１をワークエリアとしてパチンコ機１全体の作動制御（すなわち、遊技の基本進行制御）を司る。また、ＲＯＭ４８２に記憶された当否判定プログラムにより、ＣＰＵ４０１が主体となって当否判断制御を行う（当否判定手段）。
【００４６】
主回路部４００は、図１５に示すように、ＣＰＵ４０１、発振部４１０、リセット回路部４５０、Ｉ／Ｏデコード回路部４２０、データバス安定化部４１１、及び第１外部入力回路部４３０を有している。また、ＣＰＵ４０１は、図１６に示すように、ＣＰＵコア４８０、内蔵ＲＡＭ４８１、内蔵ＲＯＭ４８２、メモリ制御回路４８３、クロック発生器４８４、アドレスデコーダ４８５、ウオッチドッグタイマ４８６、カウンタ／タイマ４８７、パラレル入出力ポート４８８、リセット／割り込みコントローラ４８９、外部バスインターフェース４９０、出力制御回路４９１を備えている。
【００４７】
図５に戻り、図６（ａ）に示す入出力回路部５００には前記した信号伝送経路５００ａが接続され、入出力回路部５００からその信号伝送経路５００ａへ、各制御部１５０、１６０、１７０へ処理内容を指示する指令信号たるコマンドデータを送信する。尚、主制御部１４０から各制御部１５０、１６０、１７０へは、一方向形式若しくは双方向形式でデータが伝送される。また、各制御部１４０〜１７０には、電源受電基板４１５から電源ユニット４２５、さらには分電基板４３５を介して電源が供給されており、後述する電源立上げ時のシステムリセット信号が全制御基板に送信される。
【００４８】
中継基板１９０には、入賞球検知スイッチ３１８，１９ｓ〜２２ｓ等が接続され、中継基板１９０の出力端子は、主制御部１４０の入出力回路部５００と接続されている。また、第一種始動口（普通電動役物）入賞検知スイッチ１７ｓ、普通図柄表示装置基板３２ｆ、各種ソレノイド１７ｃ，３１３、右普通図柄作動ゲート通過検知スイッチ３７ｓ、左普通図柄作動ゲート通過検知スイッチ３６ｓが主制御部１４０の入出力回路部５００に接続されている。
【００４９】
払出用端子基板１９１には、タッチスイッチ９ａ、発射停止スイッチ９ｂ、ヴォリュームスイッチ１９２、タンク球切れ検知スイッチ１０４及び補給球切れ検知スイッチ１０８等が接続され、払出用端子基板１９１の出力端子は、図６（ｂ）に示す払出制御部１５０の入出力回路部７００と接続されている。
【００５０】
払出制御部１５０は、図６（ｂ）に示すように、主制御部１４０と同様の主回路部６００及び入出力回路部７００を含んで構成され、入出力回路部７００において図５に示す信号伝送経路５００ａに接続されている。また、入出力回路部７００には、賞球払出装置１０９、発射装置制御部１９３等が接続されている。
【００５１】
特別図柄制御部１６０は、図７に示すように、演算回路構成要素として、ＣＰＵ１６１と、ＲＡＭ１６２と、ＲＯＭ１６３と、入出力ポート１６４と、駆動回路１６７とを含み、それら演算回路構成要素はバス１６５により相互に接続して構成され、入出力ポート１６４において信号伝送経路５００ａに接続されている。入出力ポート１６４には、ＬＥＤ表示装置２００が接続され、ＣＰＵ１６１はＲＯＭ１６３に格納された制御プログラムにより、ＲＡＭ１６２をワークエリアとして中央装置１６の作動制御を行なっている。
【００５２】
図８に示すように、音声ランプ制御部１７０を構成するランプ制御基板部３７０は、演算回路構成要素として、ＣＰＵ１７１と、ＲＡＭ１７２と、ＲＯＭ１７３と、入出力ポート１７４とを含んで構成されている。そして、これらの要素（１７１、１７２、１７３、及び１７４）はバス１７５により相互に接続して構成され、入出力ポート１７４において信号電送経路５００ｂに接続されている。そして、入出力ポート１７４には、図５に示す枠飾りランプ基板４ｇと、各種ランプ基板２６１ｆ、２６２ｆと、各種ＬＥＤ基板４ｄ、４ｆ、２１ｆ、２２ｆ等が接続されている。これら各基板にランプあるいはＬＥＤ等が１又は複数個接続される。これらのランプ等はゲームの進行に対応して点灯・消灯または点滅する。更に、ランプ制御基板３７０は、可動部分等を構成するソレノイドやモータ等の駆動制御を行う。
【００５３】
図８に示すように、音声ランプ制御部１７０を構成する音声制御基板部３８０は、ランプ制御基板３７０と同様の演算回路構成要素１８１〜１８５、及びサウンドジェネレーター１８８を含んで構成され、入出力ポート１８４において信号電送経路５００ｂに接続されている。サウンドジェネレーター１８８は、格納された音声データと音声出力モジュールとに基づいて、図５に示す音量スイッチ基板１２を介して接続されたスピーカー４００ａより、ゲームの進行に対応した各種の音声出力を行う。入出力ポート１８４に接続された音量スイッチ基板１２は、音量スイッチ（図示略）の操作に伴い、出力音量の設定を行うものである。
【００５４】
さらに、枠飾りランプ基板４ｇ等の各種ランプやサウンドジェネレーター１８８は、特別図柄制御部１６０の制御による特別図柄の変動・停止表示態様、リーチ発生の有無、リーチ表示態様（後述する）、特別遊技態様、及び遊技モード（確率変動、時短など）等に応じてその態様は制御される。その制御指令の指令信号は、音声ランプ制御部１７０を作動指令対象とする指令信号として、前記した信号伝送経路５００ａを介して送信される。
【００５５】
なお、上述した特別図柄制御部１６０、及び音声ランプ制御部１７０は、主制御部１４０や払出制御部１５０と同様の回路部から構成されるものとすることもできる。すなわち、主回路部と入出力回路部とから構成されるものとし、内部にＲＯＭ、ＲＡＭが内蔵されたＣＰＵを用いることもできる。
【００５６】
次に、賞球動作は、以下の順序で実行される。
主制御部１４０は、遊技球が入賞球検知スイッチ３１８を通過したら１５個の賞球個数データを、第一種始動口（普通電動役物）入賞検知スイッチ１７ｓを通過したら６個の賞球個数データを、それ以外の場合、例えば、左右下入賞口２１、２２の通過検知スイッチ２１ｓ、２２ｓの通過を検知した場合などにおいては、１０個の賞球個数データを、払出制御部１５０に対してその検知順に、払出制御部１５０を作動指令対象とする指令信号として、前記した信号伝送経路５００ａを介して送信する。（すなわち、固有賞球数はここでは、６個、１０個あるいは１５個である。）払出制御部１５０は、主制御部１４０からの賞球個数データを受け取り、賞球払出信号の送信により賞球払出装置１０９を作動させる。
【００５７】
また、主制御部１４０は、上述の各種検知スイッチの出力に基づいて遊技状態を判断し、また、その遊技状態に基づいて当否判定を行うとともに、判定内容に応じて対応する図柄表示態様で画像表示制御を行うためのデータを読み込む。例えば、主制御部１４０は、第一種始動口（普通電動役物）入賞検知スイッチ１７ｓ、入賞球検知スイッチ３１８等の検知結果や、特別図柄当否判定乱数の取得値などを使用して、遊技が行われていない客待ちの状態、遊技は行われているが始動入賞がない状態（変動準備状態）、始動入賞があった状態、及び特別遊技状態なども判断する。また、始動入賞が検知されると後述する乱数値に基づいて当否判定が行われ、その判定結果に基づいて特別図柄の変動（リーチ表示態様を含む）、または確定などの表示態様制御のためのデータが読み込まれる。このデータは、特別図柄制御部１６０を作動指令対象とする指令信号として、前記した信号伝送経路５００ａを介して送信される。
【００５８】
次に、主制御部１４０により実行されるメインジョブについて図９等を参照して説明する。これは、主制御部１４０のＲＯＭ４８２（図１６参照）に格納されたプログラムに基づき、ＣＰＵ４０１により実行されるジョブの一例である。先ず、スタックポインタをＲＡＭ４８１（図１６参照）の所定のアドレスに設定した後（Ｓ１０）、ＲＡＭクリアスイッチが操作（押下）されているか否かを判断し（Ｓ１２）、操作されていればＲＡＭ４８１の初期化処理が行われ（Ｓ８００）、操作されていなければ、バックアップフラグが設定されているか否かが判断される（Ｓ１５）。そして、バックアップフラグが設定されていれば（Ｓ１５：ＹＥＳ）、図１１の「電源断に対する復電処理」が行われる。
【００５９】
尚、本実施例では、停電等によって電源断が発生したときに、図１０に示すように、使用レジスタをＲＡＭ４８１に退避し（Ｓ６３０）、スタックポインタの値をＲＡＭ４８１に保存する（Ｓ６３２）。そして、大入賞口ソレノイド、第１種始動口ソレノイドをＯＦＦにし（Ｓ６３４）、賞球センサのポーリング処理時間（例えば、約８５ｍ秒）を設定し（Ｓ６３６）、賞球計数前センサ及び賞球計数後センサで遊技球の通過を監視する（Ｓ６３８）。次いで、ポーリング処理時間が経過すると（Ｓ６４０）、使用しているＲＡＭ４８１のチェックサム（チェックサム、バックアップフラグ、スタック領域は除く）を作成し（Ｓ６４２）、保存し、バックアップフラグをＲＡＭ４８１に設定する（Ｓ６４６）。そして、ＲＡＭ４８１のアクセスを禁止し（Ｓ６４８）、無限ループ処理にて電源ダウンに備える。なお、上記無制限ループ処理に替えてＨＡＬＴ処理やＳＴＯＰ処理を実行することも可能である。
【００６０】
図１１の「復帰処理」においては、チェックサムの算出（Ｓ６６４）を実行し、電源断時に保存していたチェックサムの値を比較し、一致しなければ、ＲＡＭ４８１の初期化処理を行う（Ｓ８００）。一致すれば、電源断前のスタックポインタを復帰し（Ｓ６６８）、バックアップフラグをクリアし（Ｓ６７０）、サブ基板を電源断前の状態に復帰させるためのコマンドを送信する（Ｓ６７２）。そして、各レジスタを電源断前の状態に復帰し（Ｓ６７４）、割込みの許可／不許可を電源断前の状態に復帰等し（Ｓ６７６，Ｓ６７８）、電源断前の番地に戻る（Ｓ６８０）。本実施例では、パチンコ機１に対し、電源断対策用のバックアップ電源を付加しているため、パチンコホールの停電時等においても、停電前に生じていた「遊技者にとって有利な情報」を保存できる。
【００６１】
図９に戻り、バックアップフラグが設定されていなければ（Ｓ１５：ＮＯ）、初期化終了の判定が行われる（Ｓ２０）。初期化が終了していれば（Ｓ２０：ＹＥＳ）、ＬＥＤジョブ（Ｓ３０）からスイッチジョブ（Ｓ７０）までのジョブが実行される。また、初期化が終了していなければ（Ｓ２０：ＮＯ）、初期化ジョブ（Ｓ１９０）が実行され、再び、初期化終了の判定が行われる（Ｓ２０）。尚、パチンコ機１が出荷状態から最初の電源投入時であったり、ＲＡＭクリアスイッチが操作（押下）されていたり、バックアップフラグに異常があったり、チェックサムが一致しなかった場合には、ＲＡＭ４８１の初期化処理が行われる。
【００６２】
ＬＥＤジョブ（Ｓ３０）においては、普通図柄及び普通図柄未始動回数の表示態様データや、特別図柄未始動回数の表示態様データなどが出力される。等速乱数ジョブ（Ｓ４０）では、後述するＲＡＭ４８１の特別図柄当否判定乱数メモリや汎用カウントメモリなどが更新される。非等速乱数ジョブ（Ｓ５０）では、初期値カウンタ、外れ普通図柄乱数メモリ（図示略）が更新される。なお、汎用カウントメモリ（図示略）は、例えば割り込みごとの「０」〜「２５５」の値の作成や、コマンドジョブ、飾りジョブの実行などに使用される。
【００６３】
また、音声ジョブ（Ｓ６０）では、音楽や音声に関するデータの読み込みが行われ、スイッチジョブ（Ｓ７０）では、各種検知スイッチの読み込みが行われる。すなわち、左右入賞口通過検知信号などの各種信号が中継基板１９０を介して主制御部１４０に、発射停止検知信号、タッチ検知信号、ヴォリューム検知信号などの各種信号が払出用端子基板１９１を介して枠制御部１５０にそれぞれ取り込まれ、また、第一種始動口（普通電動役物）入賞検知スイッチ１７ｓから第一種始動口入賞検知信号、大入賞装置３１から入賞球検知信号、及び普通図柄作動ゲート通過検知信号が主制御部１４０に取り込まれる。
【００６４】
さらに、カウント検知スイッチ、カウント検知及び特定領域通過検知スイッチ等のスイッチ３１８（図５参照）に異常があるか否かが判定され（Ｓ８０）、異常がなければ（Ｓ８０：ＹＥＳ）、特別図柄メインジョブ（Ｓ９０）から音声ジョブ（Ｓ１１０）までのジョブが実行される。また、異常（球詰まりや断線など）があれば（Ｓ８０：ＮＯ）、エラージョブ（Ｓ１３０）が実行される。
【００６５】
特別図柄メインジョブ（Ｓ９０）においては、主制御部１４０と特別図柄制御部１６０とが協調して動作するために必要なデータに関するジョブが実行される。また、普通図柄メインジョブ（Ｓ１００）では、普通図柄及び普通図柄未始動回数の表示態様データの読み込みが行われる。
【００６６】
この後、各フラグ状態がバックアップメモリにセットされ（Ｓ１４０）、賞球信号ジョブ（Ｓ１５０）、情報信号ジョブ（Ｓ１６０）、コマンドジョブ（Ｓ１７０）、及び残余時間ジョブ（Ｓ１８０）が実行される。賞球信号ジョブ（Ｓ１５０）においては、賞球払出しに関するデータの読み込みや出力が行われ、情報信号ジョブ（Ｓ１６０）では、他の制御部への情報出力に必要なデータの読み込みが行われる。さらに、コマンドジョブ（Ｓ１７０）では、特別図柄管理等のためのコマンドの出力が行われ、残余時間ジョブ（Ｓ１８０）では、非等速乱数の呼出しが行われる。尚、残余時間ジョブ（Ｓ１８０）においても、初期値乱数の更新が行われる。
【００６７】
次に、上記メインジョブの一連の流れの中で実行される、始動入賞（第一種始動口（普通電動役物）１７への入賞）時の当否判定ジョブに関して図１２を参照して説明する。なお、これらのジョブで使用する各種メモリ等は、図５に示す主制御部１４０のＲＡＭ４８１（図１６参照）に格納され、代表的なもの（４８１ａ〜４８１ｎ、４８１ｖ、４８１ｗ）を図１３に示す。
【００６８】
まず、Ｓ２００において始動入賞があったか否かを確認し、ＹＥＳであれば、Ｓ２１０において特別図柄保留数メモリ４８１ｂ（図１３参照）に記憶されている保留数（未始動回数）を１インクリメントする。この保留数（未始動回数）が一定値（本実施例では「４」）を超えていれば、その始動入賞は無効となり、Ｓ２５０へスキップする。また、一定値内の保留数（未始動回数）であれば、Ｓ２３０において、特別図柄当否判定乱数｛以下、当否用乱数、又は判定乱数ともいう）を発生させ（プログラムを発生させても、所定の乱数発生回路を用いてもいずれでもよい（当否用乱数発生手段）｝、読み込んだ判定乱数値を、Ｓ２４０において、特別図柄当否判定乱数メモリ４８１ａ（図１３参照：以下、判定乱数メモリともいう）に記憶する。このメモリは、読み込んだ判定乱数値を始動入賞の時系列にシフトメモリ形式で記憶している。
【００６９】
次に、Ｓ２５０において、判定乱数メモリ４８１ａ（図１３参照）から記憶している最も古い先頭の判定乱数値を読み出す。そして、Ｓ２６０において、大当り番号メモリ４８１ｈ（図１３参照）から大当り番号（当り用判定値）を読み出し、Ｓ２７０において、上記判定乱数値との比較を行い、両者が一致していれば大当り判定となり、一致していなければ外れ判定となる。大当り判定の場合には、また、Ｓ３００において、「大当り」という判定結果（本実施例では「１」）を判定結果メモリ４８１ｊ（図１３参照）に記憶する。
【００７０】
一方、外れ判定となった場合は、Ｓ２７０からＳ３１０に進み、外れリーチジョブを行うかどうかを乱数により決定する。すなわち、Ｓ３１０において、リーチ態様決定乱数を発生させ、これを読み込み、他方、Ｓ３２０において、リーチ番号メモリ４８１ｉ（図１３参照）に記憶されているリーチ番号を読み出す。Ｓ３３０において、両者が一致していれば外れリーチジョブに、一致していなければ通常外れジョブとなる。
【００７１】
外れリーチジョブの場合は、Ｓ３８０へ進み、「外れリーチ」という判定結果（本実施例では「２」）を判定結果メモリ４８１ｊ（図１３参照）に記憶する。一方、通常外れジョブの場合は、Ｓ４５０に進み、Ｓ４５０において、「通常外れ」という判定結果（本実施例では「３」）を判定結果メモリ４８１ｊ（図１３参照）に記憶する。
【００７２】
次に、上記メインジョブの一連の流れの中で実行される、特別図柄メインジョブの概略の流れを図１４を参照して説明する。まず、Ｓ５００において、第一種始動口（普通電動役物）１７への遊技球の入賞に基づき、ＬＥＤ表示装置２００（図３参照）上で各特別図柄の変動表示を開始させる。
【００７３】
次いで、Ｓ５１０において、判定結果メモリ４８１ｊ（図１３参照）から図１２に示す当否判定ジョブで得られた各入賞に対する判定結果を読み出す。具体的には、大当り判定（「１」）の場合は（Ｓ５２０：ＹＥＳ）、Ｓ５３０に進み、当り図柄を選択する。具体的には、大当り図柄決定乱数（識別情報決定用乱数）を発生させ、これを読み込んでその決定乱数値を大当り図柄決定乱数メモリ４８１ｄ（図１３参照）に記憶する。なお、大当り図柄決定乱数の読み込みは、始動入賞時に当否用乱数と同時に読み込まれているが、当り判定決定と同時に、あるいは当り判定決定後所定の時間後に読み込むものとしてもよい。
【００７４】
この大当り図柄決定乱数値で指定される特別図柄は、特別図柄制御部１６０のＲＯＭ１６３（図７参照）に格納されている特別図柄画像データに基づいて、ＬＥＤ表示装置２００（図３参照）に、変動表示状態を経た後、定められた配列態様で表示される（例えば、「赤７、赤７、赤７」の３桁同一図柄の配列態様）。なお、上記特別図柄画像データを大当り図柄決定乱数値と対応付けて識別情報決定用値として主制御部１４０のＲＡＭ４８１（図１６参照）に記憶しておき、読み込んだ大当り図柄決定乱数値と識別情報決定用値とを比較することで停止表示する図柄を決定するものとしてもよい。
【００７５】
そして、Ｓ５４０にて当り変動パターンを選択する。これは大当り図柄決定乱数と同時にリーチ態様決定乱数を発生させ、これを読み込んでその決定乱数値をリーチ態様決定乱数メモリ４８１ｋ（図１３参照）に記憶することにより行なう。リーチ態様決定乱数値で指定されるリーチ表示態様は、特別図柄制御部１６０のＲＯＭ１６３（図７参照）に格納されたリーチ表示態様画像データに基づいて、ＬＥＤ表示装置２００（図３参照）に、変動表示状態を経た後、定められたリーチ態様で表示される。なお、この場合も、上記リーチ表示態様画像データをリーチ態様決定乱数値と対応付けてリーチ態様決定用値として、主制御部１４０のＲＡＭ４８１（図１６参照）のリーチ態様決定用値メモリ４８１ｌ（図１３参照）に記憶しておき、読み込んだリーチ態様決定乱数値とリーチ態様決定用値とを比較することで表示するリーチ態様を決定するものとしてもよい。そして例えば左図柄及び右図柄を同一図柄に揃えて所定のリーチ表示態様を経た後に、中図柄を左図柄及び右図柄と同一図柄に揃えて停止表示させ確定させ、本処理を終了する。
【００７６】
一方、外れの場合は（Ｓ５２０：ＮＯ）、Ｓ５５０に進み、外れ変動パターンを選択し、Ｓ５６０にて外れ図柄を選択して所定のリーチ表示態様を経た後に、図柄を停止表示させ確定させ、本処理を終了する。
大当り判定により、ＬＥＤ表示装置２００（図３参照）には所定の配列態様で特別図柄が確定表示されると（例えば、「赤７、赤７、赤７」の３桁同一図柄の配列態様）、その後、特別遊技が実行される（特別遊技状態もしくは大当り遊技状態）。特別遊技状態においては、まず、大入賞装置３１（図３参照）の開閉板３１２が開放状態となり、大入賞口３１１への遊技球の入賞が遊技者にとって優位な遊技球受入状態となる。
【００７７】
この特別遊技状態においては、大入賞装置３１は、終了条件が成立するまで遊技球受入状態が継続される。例えば、開放状態が所定時間ｔ１（例えば３０秒）経過したとき、もしくは入賞球検知スイッチ３１８（図５参照）に所定数ｎ１（例えば１０個）の入賞が検知されたときに終了条件が成立し、遊技球受入状態が一旦終了して、開閉板３１２が閉鎖状態となって１ラウンドが終了する。この開閉板３１２が閉鎖されて所定時間ｔ２（例えば０．５秒）が経過した後に、所定の継続条件（図示しない特定領域への通過）が成立していれば、再び開閉板３１２が開放状態となり大入賞装置３１が遊技球受入状態となる。なお、このような終了条件までを１ラウンドとする遊技球受入状態は、所定の最高継続ラウンド数（本実施例では１６ラウンド）まで繰り返し継続される。また、終了条件成立時に継続条件が不成立の場合は、特別遊技状態がそのラウンドで終了（いわゆるパンク）するものとなっている。
【００７８】
なお、パチンコ機１においては、当り判定により中央装置１６のＬＥＤ表示装置２００（図３参照）に停止表示された特別図柄の種類に基づき、上記特別遊技状態の終了後、次の大当りまで当否判定の確率（大当り確率）を変更（向上）させる確率変動手段が備えられている。具体的には、予め記憶されている上記大当り図柄決定乱数値が、確率変動用乱数値と非確率変動用乱数値とから構成され、各乱数値の取得に応じて確率変動用図柄又は非確率変動用図柄が停止表示される。その停止表示された図柄が確率変動用図柄の場合、上記特別遊技状態終了後、次の大当りまで当否判定の確率（大当り確率）が通常の約４〜５倍に向上するものとされている。
【００７９】
確率変動されるか否かは、第２表示部２７によって遊技者に示される。これについて図１７を用いて説明する。図１７は中央装置１６を第一種始動口（普通電動役物）１７と共に拡大した図である。ここで第２表示部２７の説明をする前にＬＥＤ表示装置２００についても触れておく。ＬＥＤ表示装置２００の前記セグメント体は、赤・緑・青のＬＥＤが背後に設けられており、これら３色の組み合せによって、黄、白など様々な色を表示可能にされている。またこれらセグメント体の背景をなす部分２６の背後にも別途、赤・緑・青のＬＥＤが設けられており、背景の色のみを変えることが可能にされている。
【００８０】
一方、第２表示部２７には、１〜９、０、および２個のＶの計１２個の文字が形成されており、各文字の背後にＬＥＤが設けられている。普段はこのＬＥＤは消灯されているが、ＬＥＤ表示装置２００に当り図柄が表示されると、１２個の文字の内の１文字の背後のＬＥＤが点灯（以下、「文字が点灯」という）され、しかもその点灯される文字が変化される。変化の態様は、次のようである。
【００８１】
最初に点灯された文字が消灯され、その左の文字が点灯される。そしてその文字が消灯され、その更に左の文字が点灯される。これを高速（例えば１００ｍｓ周期）で繰り返すことにより、点灯される箇所が左へ移動するように見える。こうして点灯される文字が左端のＶになると、消灯後に点灯させる文字を右にし、点灯される箇所が右へ移動して見えるようにする。こうして点灯される文字が右端のＶになると、再び消灯後に点灯させる文字を左にする。以上を所定時間（例えば、５秒）繰り返すことにより、点灯される箇所を左右方向に往復させ、いずれか１個の文字を点灯した状態で変動を停止させる。これを以下、第２表示部２７の変動表示という。
【００８２】
このとき点灯されていた文字が、左端のＶ、１〜５の内のいずれかであると確率変動は行なわれず、６〜９、０、右端のＶの内のいずれかであると確率変動が行なわれる。なお、１２個の各文字の下には各３個のＬＥＤ６２が設けられており、それらの色は、左端のＶ、１〜５の下にあるものが緑、６〜９、０、右端のＶの下にあるＬＥＤ６２が赤となっている。この色を見ても遊技者は確率変動するか否かを知ることができる。更に、第２表示部２７の変動表示が終了すると、ＬＥＤ表示装置２００の下に設けられている報知ランプ２６３、２６４のいずれかが点灯される。確率変動する際には報知ランプ２６３、確率変動しない際には報知ランプ２６４が点灯され、これによっても遊技者は確率変動するか否かを知ることができる。
【００８３】
更に、第２表示部２７の変動表示の結果に応じ、ＬＥＤ表示装置２００の表示色が変化される。前後するが、第２表示部２７が変動表示される前にＬＥＤ表示装置２００に表示される図柄配列は［表１］に示す７通りの内の何れかとなっている。
【００８４】
【表１】
2004236979.tif 000003
【００８５】
ここで「黄１、黄１、黄１」は、１のゾロ目が黄色で表示されることを示している。つまり、これらの内の１つがＬＥＤ表示装置２００に表示されると、とりあえず大当りとなる。そして第２表示部２７の変動表示の結果に応じ、ＬＥＤ表示装置２００に表示された図柄配列の色が［表２］に示すように変化される。
【００８６】
【表２】
2004236979.tif 000004
【００８７】
［表２］の見方は次のようである。すなわち、本表の左から２番目に表示されている○は、第２表示部２７の変動表示前にＬＥＤ表示装置２００に表示された配列を意味している。そして上下方向に仕切られてなる７個のグループは、第２表示部２７の変動表示後に変化しうる色を示している。例えば、黄１、黄１、黄１で当った場合は、第２表示部２７の変動表示後に、「赤１、赤１、赤１」「青１、青１、青１」「黄１、黄１、黄１」「緑１、緑１、緑１」のいずれかに変化される。つまり、この４通りの中には第２表示部２７の変動表示前と色が変化しないものもある。
【００８８】
そして５番目のグループすなわち「黄５、黄５、黄５」で当った場合だけは変化の仕方が３通りとなっており、その他は全て４通りとなっている。［表２］の右から２番目の欄は確率変動するか否かを示しており、「確率変動」が確率変動する（確率が既に変動している場合はその状態が維持される）、「通常」が確率変動しない（確率が既に変動している場合は低下する）を意味している。［表２］の最も右の欄は、第２表示部２７の変動表示後に確率変動する表示上の確率をグループ毎に示している。例えば、「黄１、黄１、黄１」で当った場合（第１グループ）は５０％の確率で確率変動し、「青３、青３、青３」で当った場合（第３グループ）は１００％の確率で確率変動する（いずれも表示上）。
【００８９】
［表２］に示すように遊技機１においては、数字によらず赤、もしくは青の図柄が表示されたときに確率変動し、数字によらず緑、黄、もしくは白の図柄が表示されたときに確率変動しないようにされている。また、ＬＥＤ表示装置２００の図柄は、第２表示部２７の変動表示が行なわれている間、色調が変化される。例えば、「黄１、黄１、黄１」が「青１、青１、青１」になり更に「赤１、赤１、赤１」になり、第２表示部２７の変動表示が停止すると［表２］の第１グループの内の一つ（例えば「緑１、緑１、緑１」）になる。
【００９０】
なお、確率変動した場合、次回の大当たりまで時短状態となり、特別図柄および普通図柄の変動時間が短縮され、第一種始動口（普通電動役物）１７の翼片部の開放時間が延長される。確率変動しない配列で当たった場合には、特別図柄が１００回変動するまで時短状態となる。これが本発明の時間短縮手段に相当する。
【００９１】
なお、第２表示部２７は、釘２３が打ち込まれている遊技領域１１の面よりも奥に配置されており、この面と同一面に設けられた透明板により遊技領域１１と隔離されている。但し入球口２７２、２７３のいずれかに入った玉は、遊技領域１１の奥方向へ導かれて、第２表示部２７の計１２個の文字が形成された面と前記透明板との間の空間に入りこみ、手型の緩衝部材７０、７１に弾かれてこの空間内の斜面７２を転動し、玉出口７３から遊技領域１１へ戻る。玉出口７３から出た玉は、高い確率で第一種始動口（普通電動役物）１７に入賞する。
【００９２】
ここで、図１４のＳ５５０で行なわれる外れ変動パターン選択処理について図１８に示す。判定結果メモリ４８１ｊ（図１３参照）に記憶された判定結果が外れリーチ判定（「２」）の場合は（Ｓ７００：ＹＥＳ）、Ｓ７０５に進み、確率変動中か否かを判定する。確率変動中の場合はＳ７２０に進み、リーチにならない変動パターンを含むデータテーブル（図１８では「リーチなしテーブル」と記載。以下同様）を選択してＳ７３０に進んでそのデータテーブルより変動パターン選択用の乱数を使用して変動パターンを決定する。
【００９３】
Ｓ７０５で確率変動していないと判定された場合はＳ７４０に進み、時短中か否かを判定する。時短している場合（Ｓ７４０：ＹＥＳ）はＳ７４５に進み、リーチにならない変動パターンを含むデータテーブル（Ｓ７２０で選択されるものと同じもの）を選択し、Ｓ７３０に進む。一方、時短していない場合（Ｓ７４０：ＮＯ）は、Ｓ７５０に進み、全ての変動パターンがリーチ変動パターンであるデータテーブル（図１８では「リーチありテーブル」と記載。以下同様）を選択してＳ７３０に進む。
【００９４】
判定結果メモリ４８１ｊ（図１３参照）に記憶された判定結果が、リーチを経ない外れの場合は（Ｓ７００：ＮＯ）、Ｓ７６０に進み、確率変動中か否かを判定する。確率変動中の場合はＳ７６５に進み、高確率時の変動用のデータテーブルを選択してＳ７３０に進む。一方、確率変動していない場合（Ｓ７６０：ＮＯ）はＳ７７０に進み、低確率時の変動用のデータテーブルを選択してＳ７３０に進む。
【００９５】
Ｓ７２０で選択されるデータテーブルの内容を図１９に示す。まず、リーチ態様決定乱数メモリ４８１ｋに記憶された乱数値が１００未満か否かを判定し（Ｓ８１０）、１００未満でなければＳ８１５に進んで前記乱数値が２５５未満か否かを判定する。２５５以上であれば、本処理を終了する。なお、前記乱数値が２５５以上になることは通常はあり得ないので、Ｓ８１５の判定は不測の事態に備えたエラー処理の一種となっている。
【００９６】
一方、乱数値が２５５未満の場合（Ｓ８１５：Ｙｅｓ）はＳ８２０に進み、前記乱数値が１５０未満か否かを判定する。１５０未満であれば、Ｓ８２５に進んで変動パターン１を選択し、本処理を終了する。パチンコ機１は７２種類の変動パターンを有しており、それぞれ様々な変動時間が設定されている（変動時間が互いに同じ変動パターンがあっても良い）。特に本処理では７２種類の変動パターンの中から６種類の変動パターン１〜６を選択するようにされている。変動パターン１〜５はリーチを経て外れる変動パターンであり、変動パターン６は、リーチを経ない変動パターンとなっている。すなわち、図１８の外れ変動パターン選択処理及び図１９の本データテーブルによれば、外れリーチ判定（「２」）の場合であっても、リーチにならない場合がある。なお、Ｓ７５０で選択される、全ての変動パターンがリーチにならない変動パターンを含むデータテーブルは、変動パターン１〜５の何れかからを選択するように構成されている。
【００９７】
図１９に戻る。リーチ前記乱数値が１５０以上であれば（Ｓ８２０：Ｎｏ）、Ｓ８３０に進み、前記乱数値が１８０未満か否かを判定する。１８０未満であれば、Ｓ８３５に進んで変動パターン２を選択し、本処理を終了する。前記乱数値が１８０以上であれば（Ｓ８３０：Ｎｏ）、Ｓ８４０に進み、前記乱数値が２２０未満か否かを判定する。２２０未満であれば、Ｓ８４５に進んで変動パターン３を選択し、本処理を終了する。前記乱数値が２２０以上であれば（Ｓ８４０：Ｎｏ）、Ｓ８５０に進んで変動パターン４を選択し、本処理を終了する。
【００９８】
Ｓ８１０でＹｅｓ、すなわち前記乱数値が１００未満と判定された場合には、Ｓ８６０に進み、前記乱数値が５０未満か否かを判定する。５０未満であれば、Ｓ８６５に進んで変動パターン５を選択し、本処理を終了する。前記乱数値が５０以上であれば、Ｓ８７０に進んで変動パターン６を選択し、本処理を終了する。低確率時に外れリーチが発生した場合の変動用の変動パターンが、以上のようにして選択される。前記乱数値と変動パターンの関係は［表３］のようになる。
【００９９】
【表３】
2004236979.tif 000005
【０１００】
このように変動パターンが６種類ある場合、Ｓ８２０〜Ｓ８５０のようにして全ての変動パターンを決めると、前記乱数値が最も大きい場合に選択される変動パターン（ここでは変動パターン４）は、５回も比較判定を受ける必要がある。これに対し、図１９の処理のように前記乱数値が１００未満であるか否かを判定ことにより２分し、変動パターン４でも４回（Ｓ８１５は含まない）の比較判定で選択される。なお、図１９の処理において、Ｓ８２０〜Ｓ８５０を更に２分、すなわちＳ８１５でＹｅｓと判定した後に前記乱数値が１８０未満か否かを判定し、１８０未満であった場合には更にその乱数値が１５０未満か否かを判定してパターンを選択するようにし、一方、前記乱数値が１８０以上であった場合には更にその乱数値が１５０未満か否かを判定してパターンを選択するようにすれば、比較判定の回数を最高でも３回に減らすことができる。また、６個の変動パターンを３つずつ２分し、Ｓ８１０の比較判定を１００未満か否かではなく、１５０未満か否かにしても比較判定の回数を最高３回に減らすことができる。
【０１０１】
このように図１８の外れ変動パターン選択処理及び図１９の本データテーブルによれば、外れリーチ判定（「２」）の場合であっても、リーチにならない場合がある。これによりリーチの発生頻度が抑えられるので、トータルの変動時間を短縮することができる。また、これにより、「リーチ状態になったにも拘わらずリーチアクションが行なわれない」という事態が減少するので、遊技者に違和感を与える機会が減少する。また、図１９のデータテーブルを変更する（具体的には、リーチしない変動パターンが選ばれる確率を増減する）だけで、リーチの発生頻度を変更可能なので、シリーズ機の設計が容易となる。
【０１０２】
ここで本実施の形態の構成と本発明の構成要件との対応関係を示す。ＬＥＤ表示装置２００が本発明の可変表示手段に相当し、変動入賞装置１８が本発明の可変入賞装置に相当し、［表３］が本発明の変動パターンデータテーブルに相当し、Ｓ７０５、Ｓ７２０、Ｓ７３０が本発明の第１変動パターン決定手段に相当し、Ｓ７４０、Ｓ７４５、Ｓ７５０が本発明の第２変動パターン決定手段に相当し、Ｓ３１０、Ｓ３２０、Ｓ３３０が本発明のリーチ判定手段に相当し、図１４の特別図柄メインジョブが本発明の図柄変動制御手段に相当する。
【０１０３】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
《実施例２》
実施例１では、確率変動中もしくは時短中には必ずリーチにならない変動パターンを含むデータテーブル（リーチなしテーブル）を選択するように構成されていたが、これを保留数が所定数（１を含む）以上のときにのみリーチなしテーブルを選択するように構成してもよい。例えば、所定数として１を設定したとすると、保留数がゼロのときには、全ての変動パターンがリーチ変動パターンであるデータテーブル（リーチありテーブル）から選択するので、遊技者は遊技球の打ち出しを抑えて保留が貯まらないようにすればリーチパターンを楽しむことができる。
《実施例３》
例えば、図２０、図２１に示す実施例２のようにしてもよい。なお、実施例１のパチンコ機１と同じ構成については同じ符号を用いた。図２０に示すパチンコ機１では、上皿部５の前面の右側にボタン２７５が設けられている。このボタン２７５を押すことにより、パチンコ機１を、図１９に示したリーチにならない変動パターンを含むデータテーブルを選択するモード（本発明のリーチ削減モードに相当。以下、リーチなしモードという。また、ボタン２７５がモード切替手段に相当する）と、このデータテーブルを決して選ばないモード（以下、リーチありモードという）とに切り換えることができる。パチンコ機１がリーチありモードにおいてボタン２７５を押すとリーチなしモードになり、リーチなしモードにおいてボタン２７５を押すとリーチありモードになる。また保留は８個まで可能となっている。
【０１０４】
このパチンコ機１における外れ変動パターン選択処理は図２１のようになる。なお、図１８に示した外れ変動パターン選択処理と同じ処理については同じステップ番号を使用し、説明を省略する。本処理ではＳ７００で判定結果メモリ４８１ｊ（図１３参照）に記憶された判定結果が外れリーチ判定（「２」）ではない場合は図１８の処理と同様である。判定結果メモリ４８１ｊ（図１３参照）に記憶された判定結果が外れリーチ判定（「２」）であり（Ｓ７００：ＹＥＳ）、且つ確変中の場合（Ｓ７０５：ＹＥＳ）はＳ７１０に進んで現在、リーチありモードか否かを判定する。リーチありモードである場合はＳ７１５に進み、全ての変動パターンがリーチ変動パターンであるデータテーブルを選択し、Ｓ７３０に進む。一方、リーチありモードではない場合、すなわちリーチなしモードである場合（Ｓ７１０：ＮＯ）は、Ｓ７２０に進み、リーチにならない変動パターンを含むデータテーブルを選択してＳ７３０に進む。
【０１０５】
Ｓ７０５で確率変動していないと判定された場合は、Ｓ７４０で時短中か否かを判定する。時短していない場合（Ｓ７４０：ＮＯ）はＳ７５０に進み、全ての変動パターンがリーチ変動パターンであるデータテーブルを選択し、Ｓ７３０に進む。一方、時短している場合（Ｓ７４０：ＹＥＳ）は、Ｓ７４１に進み、保留数が５個以上か否かを判定する。保留数が５個以上の場合（Ｓ７４１：ＹＥＳ）はＳ７４２に進み、リーチありモードか否かを判定する。リーチありモードである場合（Ｓ７４２：ＹＥＳ）はＳ７５０に進み、全ての変動パターンがリーチ変動パターンであるデータテーブルを選択し、Ｓ７３０に進む。一方、リーチありモードではない場合、すなわちリーチなしモードの場合（Ｓ７４２：ＮＯ）は、Ｓ７４５に進み、リーチにならない変動パターンを含むデータテーブルを選択してＳ７３０に進む。なお、Ｓ７４１で保留数が５個未満と判定された場合（Ｓ７４１：ＮＯ）にもＳ７５０に進み、全ての変動パターンがリーチ変動パターンであるデータテーブルを選択する。
【０１０６】
このようにすることにより、確率変動中や時短中においても、リーチ変動パターンを楽しみたい遊技者は、リーチありモードを選択することによりリーチがカットされるのを防止すればよく、一方、トータルの変動時間の短縮を望む遊技者は、リーチなしモードを選択することにより一部のリーチをカットすればよい。途中で気が変わった場合は、ボタン２７５を押してモードを切り替えればよい。このように構成されたパチンコ機１によれば遊技者の好みに応じた変動パターンを実施することができる。そして保留が５個以上の場合のみ、リーチをカットするので、保留数が少ない（例えば、０個または１個）場合には、リーチアクションを楽しむことができる。また、パチンコ機１では第一種始動口（普通電動役物）１７への入賞の数は４個まで保留するものであったが、本実施例のように４個以外の数、保留可能な遊技機の場合にも有効である。
【０１０７】
なお、パチンコ機１が現在、リーチありモード、リーチなしモードのいずれであるかはＬＥＤ表示装置２００において識別可能にされている。具体的には、ＬＥＤ表示装置２００が変動表示を開始する際に、ＬＥＤ表示装置２００のセグメント体の背景をなす部分２６が白く発光してその発光が消えるのがリーチなしモード、白く発光しないのがリーチありモードとなっている。もちろん、これ以外の方法で報知してもよい。例えば、パチンコ機１がＬＥＤ表示装置２００に代えて液晶表示装置を用いて特別図柄の表示や変動を行なうものであれば、ＬＥＤ表示装置２００で行なったのと略同様に背景を変更することによりモードを報知してもよいし、所定のキャラクターを表示するか否かによってモードを報知するようにしてもよい。
【０１０８】
また、ボタン２７５を上皿部５以外の場所に設けても良い。モードの切り替えをボタン２７５以外の物を用いて行っても良い。例えば、光学センサや超音波センサを遊技盤１０ないに設け、ＬＥＤ表示装置２００に手をかざすとこれを検出してモードが切り替わるようにしてもよい。また、確率変動中と時短中とで別々にモードの設定を可能にしても良い。これには、例えば、ボタンをもう１つ設け、一方は確率変動中のモード切替用、他方は時短中のモード切替用とすること等が考えられる。
《実施例４》
また、パチンコ機１を図２２に示すようなものにしてもよい。実施例２と同様、実施例１のパチンコ機１と同じ構成については同じ符号を用いた。図２２に示すパチンコ機１では、上皿部５の前面の左側にマイク２７７が設けられている。遊技者が、このマイク２７７に所定のキーワードを発生することで、音声認識不がキーワードを認識する。例えば、マイク２７７に「リーチ」と声を掛けることにより、ＣＰＵ４０１が音声認識をし、パチンコ機１を、リーチなしモードと、リーチありモードとに切り換えることができる。これら各モードは、実施例２で説明したものと同じであり、外れ変動パターン選択処理も図２１に示したものとなる。ここではマイク２７７がモード切替手段に相当する。なお、マイク２７７に「背景」と声を入力すると、ＬＥＤ表示装置２００の背景の部分２６の色が変わる。また、リーチのありなしモードを更に発展させて、リーチになると一旦、ＬＥＤ表示装置２００の変動が止まり（つまり変動パターンが止まり）、遊技者が「スタート」と言うと、これをマイク２７７にて検出して、リーチの変動パターンを開始し、何も言わないで所定時間マイク２７７で音声の検出がない場合は、自動的にリーチの変動パターンを開始（または抑制）するようにしても良い。
【０１０９】
また、周波数分析装置を備えることで、マイク２７７から入力される遊技者の音声の周波数を測定してその平均周波数を算出し、予め決めておいた周波数と比較して遊技者の性別の判断の基準とすることができる。例えば、４００ヘルツより平均周波数が大きければ女性、４００ヘルツ以下であれば男性である確率が高いと判断できる。そして音声認識部による所定のキーワードの認識と、周波数分析装置による性別の認識とを実行することで、前述したようなリーチのありなしモードや、背景の色・絵柄の変更等に際し、一律に変更するのではなく性別を考慮して変更させることができる。
《その他》
上記何れの実施例においても、確変中や時短中において所定の確率でリーチが抑制していたが、必ずリーチが抑制されるようにしても良い。
【０１１０】
また、第２表示部２７の変動表示の後、ＬＥＤ表示装置２００の図柄は色が変化されるのみであったが、数字も（または数字のみが）変わるようにしてもよい。この例としては、「黄１、黄１、黄１」が「黄４、黄４、黄４」や「青７、青７、青７」に変わることが挙げられる。また［表２］に示した２７通り以外の図柄、例えば、「白７、白７、白７」に変わるようにしても良い。第２表示部２７の変動表示の前にＬＥＤ表示装置２００に表示される図柄を［表１］に示したものよりも増やしても良い。また、第２表示部２７の変動表示中は、ＬＥＤ表示装置２００の数字の色調を変化されたが、ＬＥＤ表示装置２００の数字の明度を変えたり、明度・色調の双方を変えたりしても良い。
【０１１１】
また、第２表示部２７の変動表示のさせ方を変えても良い。例えば、点灯される箇所を単純に左右方向に往復させるのではなく、移動の速度（つまり、点灯させている時間）を徐々に速くしたり逆に遅くしたりしてもよい。また、移動しているかのように見せるのではなく、最初に全ての文字を点灯させ、１〜２個ずつ消灯させていってもよい。この場合、途中で確率変動となる箇所が多く残る（つまり点灯されている）ような消灯のさせ方をすると「確率変動する可能性が高い」という期待感を遊技者に持たせることができる。逆に確率変動となる箇所が少なくなるような消灯のさせ方をしてもよい。また、最初に点灯される文字を乱数で決めても良い。
【０１１２】
尚、パチンコ機１の制御方法も他の態様であっても実施できる。例えば、主制御部１４０と特別図柄制御部１６０、音声ランプ制御部１７０、又は払出制御部１５０等（以下、副制御部ともいう）との間での制御に関して主制御部１４０から出力されるコマンドの種類や主制御部１４０の制御負担を極力抑制した制御態様の遊技機にも適用できる。
【０１１３】
この制御態様における、例えば主制御部１４０と特別図柄制御部１６０との間のコマンド送信に関して説明すると、特別図柄の制御において、主制御部１４０は特別図柄制御部１６０に対して変動コマンド、停止図柄コマンド、及び変動停止コマンドを送信し、特別図柄制御部１６０では変動コマンドを受けて、複数の変動態様から乱数等による抽選で変動態様を決定する。各コマンドの送受信時期、順序についても、情報伝達の確実性や、多様な遊技態様の実現、あるいは不正防止等の観点から種々の技術が採用される。
【０１１４】
このようにすることで、様々な効果を発揮する。機種変更の際には、異機種においても主制御プログラムを共用でき、副制御プログラムについてのみ変更すれば済むこととなり設計変更容易となる。また、第三者検査機関による検査についても容易にできる。更に、主制御部１４０の負担軽減や副制御部での制御自由度の向上により多様な遊技効果を実現可能となる。
【０１１５】
また、副制御部同士（２以上）についても送信可能とすることができる。尚、上記では主制御部１４０と副制御部又は副制御部間において送信するとしたが、送信とは一方向であっても双方向であってもどちらでも良い。
【図面の簡単な説明】
【図１】本発明の実施例に係る遊技機を示す正面図である。
【図２】本発明の実施例に係る遊技機において、前面枠を開いた状態を示す斜視図である。
【図３】本発明の実施例に係る遊技機の遊技盤を示す正面図である。
【図４】本発明の実施例に係る遊技機を示す裏面図である。
【図５】本発明の実施例に係る遊技機が備える電子制御装置を示すブロック図である。
【図６】（ａ）は本発明の実施例に係る遊技機が備える電子制御装置を構成する主制御部の説明図であり、（ｂ）は本発明の実施例に係る遊技機が備える電子制御装置を構成する枠制御部の説明図である。
【図７】本発明の実施例に係る遊技機が備える電子制御装置を構成する特別図柄制御部の説明図である。
【図８】本発明の実施例に係る遊技機が備える電子制御装置を構成する音ランプ制御部の説明図である。
【図９】本発明の実施例に係る遊技機の主制御部が行うメインジョブを説明するためのフローチャートである。
【図１０】本発明の実施例に係る遊技機において、電源断（停電等）が発生したときの処理を示すフローチャートである。
【図１１】本発明の実施例に係る遊技機において、電源断（停電等）が発生したときの復電処理を示すフローチャートである。
【図１２】本発明の実施例に係る遊技機において、当否判定ジョブを説明するためのフローチャートである。
【図１３】本発明の実施例に係る遊技機において、主制御部の内蔵ＲＡＭに格納された各種メモリ等の代表例を示す説明図である。
【図１４】本発明の実施例に係る遊技機において、特別図柄メインジョブの概略を説明するためのフローチャートである。
【図１５】本発明の実施例に係る遊技機において、主制御部を示す説明図である。
【図１６】本発明の実施例に係る遊技機において、主制御部を構成するＣＰＵを示す説明図である。
【図１７】本発明の実施例に係る遊技機において、中央装置を第一種始動口（普通電動役物）と共に拡大した図である。
【図１８】本発明の実施例に係る遊技機において、外れ変動パターン選択処理のフローチャートである。
【図１９】本発明の実施例に係る遊技機において、低確率変動用データ選択の処理のフローチャートである。
【図２０】本発明の他の実施例に係る遊技機を示す正面図である。
【図２１】本発明の他の実施例に係る遊技機において、低確率変動用データ選択の処理のフローチャートである。
【図２２】本発明の他の実施例に係る遊技機を示す正面図である。
【符号の説明】
１…遊技機        １１…遊技領域
１６…中央装置      ２３…釘
２４…７セグメント表示装置
２７…第２表示部
２６３、２６４…報知ランプ
【図１】
2004236979.tif 000006
【図２】
2004236979.tif 000007
【図３】
2004236979.tif 000008
【図４】
2004236979.tif 000009
【図５】
2004236979.tif 000010
【図６】
2004236979.tif 000011
【図７】
2004236979.tif 000012
【図８】
2004236979.tif 000013
【図９】
2004236979.tif 000014
【図１０】
2004236979.tif 000015
【図１１】
2004236979.tif 000016
【図１２】
2004236979.tif 000017
【図１３】
2004236979.tif 000018
【図１４】
2004236979.tif 000019
【図１５】
2004236979.tif 000020
【図１６】
2004236979.tif 000021
【図１７】
2004236979.tif 000022
【図１８】
2004236979.tif 000023
【図１９】
2004236979.tif 000024
【図２０】
2004236979.tif 000025
【図２１】
2004236979.tif 000026
【図２２】
2004236979.tif 000027